(57)【要約】【課題】リサイクルされる機器の不正な再利用を防止する。【解決手段】レンズ付きフイルムユニットの撮影終了をフイルム巻き上げ完了表示板又はフイルム検出レバーによって検知し、充電禁止用ＩＣ４２に撮影終了信号６６を入力させストロボ装置の充電動作を禁止する。この充電動作の禁止を解除するために、充電禁止用ＩＣ４２内に備えてある温度センサ又は加速度センサ又は圧力センサの半導体センサ６３に対応する所定の温度、加速度、圧力を入力し書き込み許可装置６５の書き込みを許可させる。入力端子４４より所定電気信号を書き込み、設定値記憶部６９内にある設定値と所定電気信号を比較器７０で判別させ設定値と所定電気信号が一致したときにだけストロボ装置の充電動作の禁止を解除する【選択図】　　　　図７
2004069914.tif 000002
【特許請求の範囲】
【請求項１】
リサイクル処理される構成部品及び内蔵装置が組み込まれた機器の不正規な再使用を防止するため、前記機器の使用完了からリサイクル処理されるまでの間、前記構成部品及び内蔵装置の動作を禁止させる動作禁止手段と、前記禁止された動作を解除する動作解除手段とを備えた不正使用防止回路において、
前記動作解除手段には温度センサ又は加速度センサ又は圧力センサのうち、少なくとも一つのセンサが含まれており、前記各センサに対応する予め設定された温度、加速度、圧力の入力によって、出力される第一の解除信号と、外部から入力される所定電気信号である第二の解除信号とを前記動作解除手段に入力し、前記第一の解除信号と前記第二の解除信号が、予め設定されている各々の設定値と一致したときにだけ禁止されている動作を解除することを特徴とした不正使用防止回路。
【請求項２】
前記温度センサ又は加速度センサ又は圧力センサのうち、少なくとも一つのセンサと前記動作禁止手段と前記動作解除手段とが一つのＩＣ内に組み込まれていることを特徴とした請求項　１記載の不正使用防止回路。
【発明の詳細な説明】
【０００１】
【発明の属する技術分野】
本発明は、リサイクルされる機器の不正な再利用の防止に関するものである。
【０００２】
【従来の技術】
使用後、回収されリサイクルされる製品機器が数多くある中で、簡単な撮影機構を備え、未露光の写真フイルムが製造時に装填されており、ストロボ装置を備えたレンズ付きフイルムユニットが各種販売されている。使用済みのレンズ付きフイルムユニットは製造メーカーに回収され、外装カバーなどの構成部品やストロボ装置や露光装置などの内蔵装置はリユース、あるいは原材料としてリサイクルされている。
【０００３】
しかし、メーカー以外の業者が使用済みのレンズ付きフイルムユニットを回収し、未露光の写真フイルムを再装填し不正規に再販売している。このような製造メーカー以外の業者による詰め替え製品は、適正な検査や部品交換が行われずに再販売されるため、信頼性に乏しいという問題がある。また、詰め替え製品に発生する問題は、レンズ付きフイルムユニットそのものに対する信頼性を低くするため、従来のレンズ付きフイルムユニットでは製造メーカー以外の業者による不正規な再利用防止のための工夫が各種なされている。
【０００４】
特開平９−２０４０１８公報では、不正規な再利用を防止するためにストロボ装置への充電開始パルスを制御するマイクロコンピュータやメモリ等がレンズ付きフイルムユニット内の回路基板に備えられており、レンズ付きフイルムユニットのシンクロスイッチを利用して撮影コマ数をカウントする。このカウント値とメモリ内の撮影可能枚数をマイクロコンピュータで比較して、カウント値が撮影可能枚数以上のときはストロボ装置への充電開始パルスの送出を禁止する。正規に再利用するには、外部から初期化信号をイニシャライズ回路に入力することでカウントされた撮影コマ数等のデータを初期化し、ストロボ装置への充電開始パルスの送出を許容して再利用可能にしていることが提案されている。
【０００５】
また、特開２００１−１３６３７公報、及び特開２００１−１３６３８公報でも、主要なカメラ機能であるストロボ装置のストロボ回路に充電動作の可否を制御するＩＣ（以下、充電禁止用ＩＣという）が搭載されており、電源の電池からストロボ装置とともに充電禁止用ＩＣに対して給電している。そして、すべての撮影終了もしくはカメラの所定構成部品の分離操作によって、ストロボ装置と充電禁止ＩＣへの給電が一時的に断たれる構造となっている。給電が一時的に断たれると充電禁止用ＩＣがストロボ装置への充電操作を禁止する。再びストロボ装置に充電操作を行わせるには、外部より予め決められたクロック信号とデジタルコード信号を同期させて充電禁止ＩＣに入力する方法、もしくは予め決められた所定のパルス信号と規定電圧レベルを有する所定電圧信号を複合的に入力することによってストロボ装置の充電禁止を解除する方法が提案されている。
【０００６】
【発明が解決しようとする課題】
しかしながら、上記のようにストロボ装置の充電禁止を解除するための初期化信号やクロック信号、デジタル信号は簡単なものでは第三者に解読され不正規な再利用をされてしまう。複数の解除信号を設ければ解除するのが難しくなり不正規な再利用防止にはなるが、製造メーカーが解除を行う工程での作業や設備が複雑になってしまう。
【０００７】
本発明は上記問題を解決するためになされたもので、リサイクル機器の不正規な再利用を防止するため、第三者が簡単に解読できない解除信号と解除手段を備え、製造メーカーにおいては簡便な作業及び設備において解除が行える不正使用禁止回路の提供を目的とする。
【０００８】
【課題を解決するための手段】
上記目的を達成するために、本発明の不正使用防止回路では、リサイクル処理される構成部品及び内蔵装置が組み込まれた機器の不正規な再使用を防止するため、機器の使用完了からリサイクル処理されるまでの間に、構成部品及び内蔵装置の動作を禁止させる動作禁止手段と、禁止された動作を解除する動作解除手段とを備えており、この動作解除手段には温度センサ又は加速度センサ又は圧力センサのうち少なくとも一つのセンサを備え、前記各センサに対応する温度又は加速度又は圧力を入力することで出力される第一の解除信号と所定電気信号による第二の解除信号を動作解除手段に入力し、予め設定された各々の設定値一致したときにだけ、禁止された動作を解除させるものである。
【０００９】
温度センサ又は加速度センサ又は圧力センサのうち少なくとも一つのセンサと、動作禁止手段と動作解除手段とを一つのＩＣに組み込んで１チップ化させたものである。
【００１０】
【発明の実施の形態】
本発明を使用したレンズ付きフイルムユニットの外観を図１に示す。レンズ付きフイルムユニット２は、簡単な撮影機構が組み込まれ、予め写真フイルムが装填されたユニット本体３と、このユニット本体３の外周に巻き付けられるようにして貼付される外装ラベル４とから構成されている。ユニット本体３の上面には、ユニット本体３から突出してストロボ充電の完了を表示するライトガイド５、フイルムカウンタ窓６、フイルム巻き込み完了表示窓７、シャッターボタン８が形成されている。
【００１１】
ユニット本体３の前面には、撮影レンズ９、ファインダ１０、上下方向でスライド自在とされた操作ボタン１２、被写体に向けてストロボ光を照射するストロボ発光部１１が設けられており、前記外装ラベル４の下にはストロボ装置の充電動作の禁止を解除させるため、解除信号を入力するプローブ挿入用の開口部１３とセンサ用の開口部１４が設けられている。またユニット本体３の背面には巻き上げノブ１５が設けられている。
【００１２】
図２に示すように、ユニット本体３は、本体基部２０，前カバー２１，後カバー２２，ストロボ装置２３等から構成されており、写真フイルムカートリッジ２４が製造時に装填してある。この写真フイルムカートリッジ２４はカートリッジ２４ａと写真フイルム２４ｂとから形成されている。本体基部２０の前面中央には、撮影レンズ９から写真フイルム２４ｂまでの間の撮影光路を遮光する暗箱２６が設けられている。この暗箱２６を挟む両側方には、カートリッジ２４ａが収納されるカートリッジ室２５と、カートリッジ２４ａから引き出されロール状に巻かれた写真フイルム２４ｂが収納されるフイルム室２７が設けられている。
【００１３】
ストロボ装置２３は、本体基部２０の右前側で前カバーユニット２１と挟まれるように組み込まれている。ストロボ装置２３と前カバー２１の間には、ストロボ充電操作を行う操作ボタン１２が一体に成形されているスライド板３３と、このスライド板３３を上下に案内するガイド板３４が備えられており、操作ボタン１２は前カバー２１の開口部より露呈する。
【００１４】
図３に示すように、ストロボ装置２３は、ストロボ回路基板３６にストロボ発光部１１、メインスイッチ３８、シンクロスイッチ３９、メインコンデンサ４０、電池３５，電池３５を充電回路に接続する金属製の接片４１ａ，４１ｂ等を組み付けてユニット化したものである。このストロボ装置２３には、レンズ付きフイルムユニット２及びストロボ装置２３の不正規な再利用を防止するための充電禁止用ＩＣ４２が設けられている。
【００１５】
メインスイッチ３８は、ストロボ回路基板３６上に設けられた３個の接点（ランド）３８ａ〜３８ｃと、このうちの接点３８ｃに半田付けされた金属接片３８ｄとからなる。操作ボタン１２の上方へのスライドにより、スライド板３３の背後に設けられた突起３３ａが押圧片３８ｄを弾性変形させて各接点３８ａ，３８ｂに接触させることによって、メインスイッチ３８がオンとなる。このメインスイッチ３８は、充電スイッチと発光選択スイッチを兼ねており、オンとなると充電回路でメインコデンサ４０への充電が行われるとともに、ストロボ発光が許容される。
【００１６】
シンクロスイッチ３９は、上下に並べて配された一対の接片からなり、シャッタ機構が作動されたときにシャッタ羽根に一体に形成された押圧片（図示せず）で上側の接片が押圧されて下側の接片に接触することによりオンとなる。このシンクロスイッチ３９のオンにより、メインコンデンサ４０が放電されてストロボ発光部１１からストロボ光が放出される。
【００１７】
不正規な再利用を防止するためのセキュリティ回路である充電禁止用ＩＣ４２は、充電回路を形成する発振トランジスタ４３とともに面実装部品とされており、ストロボ回路基板３６上で発振トランジスタ４３に隣接させて面実装されている。この充電禁止用ＩＣ４２は、充電回路とともに電池３５からの給電を受けて動作する。充電禁止用ＩＣ４２は、所定枚数の撮影終了やフイルム巻き上げ操作等に伴って撮影終了信号が入力されると、所定の解除信号の入力が行われるまでストロボ装置２３の充電動作を禁止する。なお、充電禁止用ＩＣ４２は電池３５の消耗等により給電される電圧が一定レベル以下となった場合にも、撮影終了信号が充電禁止用ＩＣ４２へ入力されてストロボ装置２３の充電動作を禁止する。
【００１８】
禁止された充電動作を解除するためには、第一の解除信号と第二の解除信号を入力する必要がある。充電禁止用ＩＣ４２には温度センサ、加速度センサ、圧力センサのいずれかが内蔵されており、それぞれのセンサに対応する所定の温度、加速度、圧力を入力し第一の解除信号を出力させ、ストロボ装置の回路基板に備えてある入力端子４４には第二の解除信号である所定電気信号を入力する。なお、充電禁止用ＩＣ４２に内蔵されているセンサは光センサや磁界センサ等でもよい。
【００１９】
充電禁止用ＩＣ４２と発振トランジスタ４３とこれらの間の配線パターンは、絶縁性を有した、例えば樹脂製の保護層４５で覆われている。この保護層４５は、充電禁止用ＩＣ４２を取り外したり、発振トランジスタ４３を取り外して別の発振トランジスタを接続したり、ジャンパ線を付加するなどして充電禁止用ＩＣ４２の機能を無効化するための、ハード的な改造を不可能とするためのものである。ただし、充電禁止用ＩＣ４２に内蔵されているセンサが温度センサ又は圧力センサの場合にはセンサ上部には第一の解除信号を外部から入力するための開口部４５ａが設けられている。
【００２０】
図４〜６には撮影終了信号の検知方法の例を示す。不正規な再利用を防止させるためには、確実に撮影終了を検知して充電禁止用ＩＣ４２によって充電を禁止させなければならない。そこで図４に示すように、本体基部２０に備えてあるカートリッジ室２５の上面にはフイルム巻上げノブ１５と、フイルム２４ｂをカードリッジ２４ａ内に完全に巻き込まれたことを表示する巻き込み完了表示板４６が回転自在に組み込まれている。
【００２１】
巻き上げノブ１５には、カードリッジ本体２４ａのスプール２４ｃに係合する係合軸１６が一体に成形されている。この係合軸１６は巻き上げノブ１５と共にフイルム巻上げ機構を構成している。巻き上げノブ１５は一部が後ろカバー２２の開口部より露呈されており、この露呈された部分を矢印の方向に回転させることによりスプール２４ｃが回転し、撮影済みの写真フイルム２４ｂをカードリッジ２４ａ内に巻き上げる。巻き上げノブ１５の外周には歯列１５ａが形成されている。この歯列１５ａには本体基部２０に設けた逆止爪４５が係合している。この逆止爪４５は巻き上げノブ１５がフイルム巻上げ方向とは逆方向に回転操作されることを禁止している。
【００２２】
係合軸１６には、巻き込み完了表示板４６を回転させる一歯ギヤ１６ａが一体に形成されている。この一歯ギヤ１６ａは巻き込み完了表示板４６の外周に設けられた歯列４６ａと噛合して、巻き上げノブ１５を一回転させると巻き込み完了表示板４６が一歩進する。巻き込み完了表示板４６の上面には、巻き込み完了表示板４６及び前カバー２１とは異なった色で彩色された表示マーク４７が設けられており、フイルム室２７に収納されている写真フイルム２４ｂのすべてが、カートリッジ２４ａ内に巻き込まれる分だけ、巻き上げノブ１５が回転操作されたときに、前カバー２１に備えてあるフイルム巻き込み完了表示窓７から表示マーク４７が外部に露呈され、写真フイルム２４ｂの巻き上げ完了を知らせる。
【００２３】
巻き込み完了表示板４６の下面には、凹部４６ｃを備えたボス部４６ｂが一体に成形されている。この凹部４６ｃは後述する検出スイッチ５０と共にストロボ装置の充電動作を禁止させるための撮影終了信号を出力させる撮影終了信号出力手段を構成している。板バネ４８は、その先端が巻き込み完了表示板４６の外周に設けられた歯列４６ａと係合しており、一歯ギヤ１６ａと巻き込み完了表示板４６の歯列４６ａが噛合していないときに、振動等で巻き込み完了表示板４６が回転するのを防いでいる。
【００２４】
図５にも示すように、巻き込み完了表示板４６の下部には検出スイッチ５０が備えられている。この検出スイッチ５０は、導電性と適度な弾性とを有した一対の接片５０ａ，５０ｂから構成されている。接片５０ａの先端部はボス部４６ｂの外周部に押し付けられるように配されている。巻き込み完了表示板４６の表示マーク４７がフイルム巻き込み完了表示窓７から露呈していないときには、接片５０ａの先端部はボス部４６ｂの外周部で押しつけられて弾性変形し、他方の接片５０ｂと接触した状態を維持する。また、表示マーク４７がフイルム巻き込み完了表示窓７から露呈すると、接片５０ａの先端部はそれ自体の弾性力で凹部４６ｃに落ち込むことにより、接片５０ａが他方の接片５０ｂから離れるので撮影終了信号が出力される。
【００２５】
なお、図４，５ではボス部４６ｂに凹部４６ｃを設け検出スイッチ５０をオフにして撮影終了信号を出力させたが、ボス部４６ｂに凸部を設けて撮影が終了したときに検出スイッチ５０をオンとさせ撮影終了信号を出力させてもよい。
【００２６】
図６にはフイルム検知レバーによって撮影終了を検知する方法を示す。なお、上記実施形態と実質的に同じ構成部材には同一の符号を付してその説明を省略する。
【００２７】
本体基部２０とストロボ回路基板３６の間にフイルム検出レバー５１が備えてある。フイルム検出レバー５１の一端５１ａは本体基部２０と後ろカバーの間のフイルム通路に突出しており、他端５１ｂはストロボ回路基板３６に面実装されている検出スイッチ６０と接触している。また、フイルム検出レバー５１の側面には腕部５１ｃが一体に形成されおり、腕部５１ｃの先端部には、本体基部２０に一体に成形されたピン５３に嵌合させる嵌合穴５５が形成されており、フイルム検出レバー５１はピン５３と嵌合穴５５を嵌合させ、回動自在にフイルム検出レバー５１が組み付けてある。
【００２８】
ストロボ回路基板３６に実装されている検出スイッチ６０は、弾性変形可能な可動片６０ａと、ストロボ回路基板３６に固定された固定片６０ｂとから構成されている。可動片６０ａと固定片６０ｂは電池３５から給電を行う金属接片４１ｂと、ストロボ装置２３及びＩＣ４２との間を開閉するように接続される。フイルム検出レバー５１の一端５１ａに対峙する後ろカバー２２には、凹部５４が形成されている。
【００２９】
写真フイルム２４ｂの先端がフイルム検出レバー５１の一端５１ａの位置を通過するまでは、一端５１ａが写真フイルム２４ｂの側縁に押し付けられているので、フイルム検出レバー５１の他端５１ｂが可動片６０ａを押して固定片６０ｂと接触させているので、検出スイッチ６０のオンが維持される。最終撮影コマの撮影完了後に、巻上げノブ１５を連続的に回転操作することで、写真フイルム２４ｂのほぼ全部がカードリッジ２４ａに巻き上げられると、写真フイルム２４ｂの先端がフイルム検出レバー５１の一端５１ａの位置を通過する。すると、図６の（Ｂ）に示されるように、可動片６０ａの弾性力によりフイルム検出レバー５１の一端５１ａは凹部５４に落ち込んで可動片６０ａは固定片６０ｂから離れる。これにより検出スイッチ６０がオフとなって、充電禁止用ＩＣ４２へ撮影終了信号が出力される。
【００３０】
図７は充電禁止用ＩＣ４２のブロック図である。ここでは巻き込み完了表示板４６を使用して撮影終了信号を出力させた時の説明を行う。検出スイッチ５０がオフとなって撮影終了信号６６が充電禁止ＩＣ４２に入力されると、信号変換され状態記憶装置６８に送られる。状態記憶装置６８に送られた信号と設定値記憶部６９の設定値とを比較器７０で比較する。撮影終了信号６６は予め設定されている設定値とは異なる信号を入力するためストロボ制御装置７１を無効化し充電動作を禁止する。
【００３１】
充電動作の禁止を解除するには、温度センサ又は加速度センサ又は圧力センサのいずれかの半導体センサ６３に温度、加速度、圧力等のセンサに対応する条件を与える。与えられた条件は条件判別装置６４で判別される。この判別された条件が予め設定されている条件と一致した時にのみ第一の解除信号が出力され、第二の解除信号である所定電気信号を入力端子４４から書き込み許可装置６５に書き込むことが許可される。書き込まれた所定電気信号は状態記憶装置６８に記憶され、前記同様に設定値と比較器７０で比較される。そして、所定の電気信号が設定値と一致した時にのみ、ストロボ制御装置７１を有効化させ充電動作の禁止を解除する。
【００３２】
書き込み許可装置６５に入力される所定電気信号は、クロック信号やデジタルコード信号、パルス信号、又は電圧信号などでもよい。またこれらの信号の組み合わせや複数の値を持った信号を個別にコード化させてもよい。
【００３３】
前記状態記憶装置６８にフリップフロップを使用した場合では、前記検出スイッチ５０は電池３５とストロボ回路及び充電禁止用ＩＣ４２を連結させるように備えられている。検出スイッチ５０がオフとなりストロボ回路と充電禁止用ＩＣ４２の給電を断つことが撮影終了信号６６となっており、ストロボ回路の充電動作を禁止する。状態記憶装置６８にはフリップフロップを使用しているので、給電が停止されると給電停止前のデータを保持できなくなる。その後、ストロボ回路及び充電禁止用ＩＣ４２へ不正規な給電が行われると、フリップフロップのデータは自動的に初期値にリセットされる。この初期値は予め設定されている設定値とは異なるため、充電動作を禁止のままにする。
【００３４】
なお、電池３５の消耗等により給電される電圧が一定レベル以下となった場合にも、これが撮影終了信号６６となり充電禁止用ＩＣ４２によってフリップフロップのデータは自動的に初期値にリセットされる。したがって、前記同様にストロボ回路の充電動作を禁止にする。製造メーカーによって正規に再利用される電池３５は、十分な検査を行っているので、ユーザーの使用中に給電される電圧が一定レベル以下になることはない。
【００３５】
状態記憶装置６８にＥＥＰＲＯＭを使用した場合では、前記同様に検出スイッチ５０がオフとなるとストロボ回路及び充電禁止用ＩＣ４２の給電が停止される。例えば充電禁止用ＩＣ４２はコンデンサーを備えており、給電が停止されるとコンデンサーの電気を使用してＥＥＰＲＯＭに予め決められた値を書き込む。この時の書き込む値を仮に４ｂｉｔコード（００００）とし、設定値記憶部６９に設定されている設定値を４ｂｉｔコード（１０１０）だとすると、ＥＥＰＲＯＭには４ｂｉｔコード（００００）が書き込まれる。その後ＥＥＰＲＯＭへ給電が完全に停止しても不揮発性メモリーのＥＥＰＲＯＭには４ｂｉｔコード（００００）は保持される。再び給電が開始され、ＥＥＰＲＯＭの４ｂｉｔコード（００００）と設定値記憶部６９の４ｂｉｔコード（１０１０）が比較器７０で比較され、二つの４ｂｉｔコードが一致しないためストロボ制御装置７１を無効化して充電動作を禁止する。
【００３６】
巻き込み完了表示板４６に備えてあるボス部４６ｂの凹部４６ｃを凸部にし、検出スイッチ５０をオンさせて撮影終了信号６６を検出するときには、検出スイッチ５０を充電禁止用ＩＣ４２に連結させて、検出スイッチ５０がオンになったときにＥＥＰＲＯＭへ前記同様に４ｂｉｔコードを入力させて充電動作を禁止させてもよい。
【００３７】
図８は充電禁止及び解除のフローチャートである。ユーザーが所定枚数の撮影を終え、フイルム巻き上げノブの回転操作によってフイルムがすべてカードリッジ内に収まると、検出スイッチ５０によって撮影終了信号が出力される。撮影終了信号が充電禁止用ＩＣ４２へ入力されると、充電禁止用ＩＣ４２はストロボ回路の充電動作を禁止する。製造メーカーが正規に再利用を行う場合には、温度センサ又は加速度センサ又は圧力センサの半導体センサ６３に対応した所定温度、加速度、圧力等の条件を入力する。この入力された温度、加速度、圧力等が予め設定してある条件と一致すると第一の解除信号が出力される。この第一の解除信号が充電禁止用ＩＣ４２に入力されることによって第二の解除信号の、例えばクロック信号やパルス信号等の書き込みが許可され、書き込まれた第二の解除信号が予め設定してある設定値と一致するときにだけ、充電禁止用ＩＣ４２による充電動作の禁止が解除される。
【００３８】
図９は温度センサを使用した例を示す。充電禁止用ＩＣ４２には第二の解除信号の書き込みを許可させるために第一の解除信号の入力を行う温度センサが備えられている。使用済みのレンズ付きフイルムユニット２の各部品や各ユニットは十分な検査を受け、再びレンズ付きフイルムユニットに組み立てられる。この組み立て後、外装ラベル４を張る前にストロボ回路の充電動作の禁止を解除するため、前カバーに設けてある温度センサ上部のセンサ用開口部１４より棒状のヒーター７４を挿入し温度センサ部に接触させ一定の熱を加える。図９の（Ｂ）に示すように、例えば４０℃〜５０℃の温度が温度センサに一定時間与えられているたときにだけ、第二の解除信号の書き込みを許可するように設定しておくと、４０℃よりも低い温度では電圧が低く、５０℃より高い温度の６０℃では電圧が高すぎるため、条件判別装置６４では書き込みを許可する信号を出力しない。しかし、与えられた温度が４０℃〜５０℃の範囲であれば、温度センサから適した電圧が出力され条件判別装置６４から書き込みを許可する信号が出力される。
【００３９】
条件判別装置６４から書き込み許可する信号が出力されると、前カバーのプローブ挿入用開口部１３よりプローブ７５を挿入しストロボ回路基板に備えてある入力端子４４から所定の電気信号を入力することで、ストロボ装置の充電動作の禁止が解除される。なお、温度センサに棒状のヒーター７４を接触させ熱加えたが、温風を温度センサ部に吹き付けて熱を加えてもよい。
【００４０】
図１０は加速度センサを使用した例を示す。使用済みのレンズ付きフイルムユニットの各部品や各ユニットは十分な検査を受け、流れ作業でレンズ付きフイルムユニットに組み立てられている。この流れ作業の工程内で一度レンズ付きフイルムユニットを停止させる。再び動き出し加速度センサが加速度を検知している間に前カバー２１のプローブ挿入用開口部１３よりプローブ７５を挿入しストロボ回路基板３６に備えてある入力端子４４へ所定の電気信号を入力し充電動作の禁止を解除する。
【００４１】
図１１は圧力センサを使用した例である。圧力センサを使用した場合も温度センサと同様に、レンズ付きフイルムユニット組み立て後、外装ラベル４が張られる前に前カバー２１に備えてあるセンサ用開口部１４から圧力センサ部に押し棒７６を接触させ圧力を加える。この圧力を圧力センサが検知することによって、書き込み許可装置６５への書き込みが許可され、プローブ挿入用開口部１３より挿入されたプローブ７５からストロボ回路基板３６上の入力端子４４へ所定電気信号が入力され、充電動作の禁止が解除される。
【００４２】
図１１の（Ｂ）では前カバー２１にセンサ用開口部１４を設けず、前カバー２１の裏側に圧力センサ部に当接するような突起部７７を一体に成形して、レンズ付きフイルムユニットの組み立て後に前カバー２１の表側から突起部７７に対応する部分を押すことによって書き込み許可の信号を出力させてもよい。
【００４３】
本実施例では、レンズ付きフイルムユニットの各部品及びユニットを組み立てた後で、前カバー２１に設けたプローブ用開口部１３及びセンサ用開口部１４より解除信号の入力を行ったが、ストロボ装置２３の検査及び組み立て前に充電動作の解除を行ってもよい。
【００４４】
本発明の不正使用防止回路は、レンズ付きフイルムユニットに限らず第三者によるリユース及びリサイクルを防止する必要がある機器ならば応用可能である。例えばインクジェットプリンタでは、インクカートリッジの不正再利用を防止するためにこの不正使用防止回路を装備させる。インクカートリッジはプリンタ接続されることで電源供給が開始される。電源供給が断たれると動作禁止になり、再度プリンタに接続できなくなる。製造メーカーは正規の再利用工程で禁止された動作を解除し製品化する。
【００４５】
【発明の効果】
以上に述べたように、本発明によれば、写真フイルムのカートリッジへの巻き込み操作、及び写真フイルムの先端がフイルム通路内を通過したことを検知し、ストロボ装置の充電動作を確実に禁止させ、この充電動作の禁止を解除させるために充電禁止用ＩＣに備えてある温度センサ又は加速度センサ又は圧力センサに予め設定されている温度、加速度、圧力を入力させることで出力される第一の解除信号と第二の解除信号である所定の電気信号を充電禁止用ＩＣに入力させることで禁止された充電動作を解除させるため、第三者の解除信号の解読による不正規な再使用が防止できる。さらに、前記センサを充電禁止用ＩＣに一体に組み込んだことで、第三者は外部からこのセンサが判らないため動作禁止の解除が更に困難になる。
【図面の簡単な説明】
【図１】本発明を使用したレンズ付きフイルムユニットの外観斜視図である。
【図２】レンズ付きフイルムユニットの構成を示す分解斜視図である。
【図３】ストロボ装置を示す斜視図である。
【図４】検出スイッチと巻き込み完了表示板との関係を示す分解斜視図である。
【図５】検出スイッチと巻き込み完了表示板との関係を示す説明図である。
【図６】フイルム検出レバーと検出スイッチの関係を示す説明図である。
【図７】充電禁止用ＩＣのブロック図である。
【図８】本発明のフローチャート図である。
【図９】温度センサを使用した説明図である。
【図１０】加速度センサを使用した説明図である。
【図１１】圧力センサを使用した説明図である。
【符号の説明】
２　レンズ付きフイルムユニット
４２　充電禁止用ＩＣ
４６　巻き上げ完了表示板
５１　フイルム検出レバー
７４　棒状ヒータ
７５　プローブ
７６　押し棒
【図１】
2004069914.tif 000003
【図２】
2004069914.tif 000004
【図３】
2004069914.tif 000005
【図４】
2004069914.tif 000006
【図５】
2004069914.tif 000007
【図６】
2004069914.tif 000008
【図７】
2004069914.tif 000009
【図８】
2004069914.tif 000010
【図９】
2004069914.tif 000011
【図１０】
2004069914.tif 000012
【図１１】
2004069914.tif 000013